(57)【要約】【課題】従来アナログ時計の針はその端の軌跡が円を描くため、円以外の外形の時計でも針の軌跡が円であるという制約を受けていた。本考案は、円形以外のアナログ時計において長針を伸縮自在な構造とすることによって長針の端の軌跡を任意に設定できる手段を簡単かつ効率良く提供しデザインによるアナログ時計の差別化を実現することにある。【解決手段】  本考案は、長針または秒針が軸を回転する様に固定された第一の部分とその第一の部分の延長方向へと移動可能な第二の部分とで構成され、前記移動可能な第二の部分は文字盤に作られた溝に沿って移動する案内部分を持つことで前記第二の部分が前記第一の部分の延長方向へと移動することを特徴としたアナログ時計。【選択図】図６
0003123498.tif 000002
【実用新案登録請求の範囲】
【請求項１】
長針または秒針が軸を回転する様に固定された第一の部分とその第一の部分の延長方向へと移動可能な第二の部分とで構成され、前記移動可能な第二の部分は文字盤に作られた溝に沿って移動する案内部分を持つことで前記第二の部分が前記第一の部分の延長方向へと移動することを特徴としたアナログ時計。
【考案の詳細な説明】
【技術分野】
【０００１】長針や短針や秒針および文字盤を有するアナログ時計
【背景技術】
【０００２】長針や短針や秒針および文字盤を有するアナログ時計はその針の端の軌跡は円であり、円形以外の外形をしたアナログ時計であってもその針の端の軌跡が円であることの制限を受けて外観デザインの差別化が困難であった。
【考案の開示】
【考案が解決しようとする課題】
【０００３】従来からあるアナログ時計は、長針や短針や秒針は固定の長さでありその端の軌跡は円であった。そのため形状が円以外の形状であってもその時刻を表示する文字または記号は円周上に配置するか、針の端が前記文字または記号から離れた所を通過することを許容して時刻認識性を犠牲にするしかなかった。
本考案は長針や秒針を伸縮性の構造として、円以外の形状の時計であっても長針または秒針の端が外周に配された文字または記号を明確に示す様にする手段を提供することである。
【課題を解決するための手段】
【０００４】  本考案は、長針または秒針が軸を回転する様に固定された第一の部分とその第一の部分の延長方向へと移動可能な第二の部分とで構成され、前記移動可能な第二の部分は文字盤に作られた溝に沿って移動する案内部分を持つことで、前記第二の部分が前記第一の部分の延長方向へと移動することを特徴としたアナログ時計である。
【考案の効果】
【０００５】前述した様に、長針または秒針が伸縮性の構造を有しかつ伸縮部分があらかじめ文字盤に用意された溝に従ってその長さを制御されるため、円形以外の任意の外形のアナログ時計が構成可能となる。
【考案を実施するための最良の形態】
【０００６】  長針または秒針が軸を回転する様に固定された第一の部分とその第一の部分の延長方向へと移動可能な第二の部分とで構成され、前記移動可能な第二の部分は文字盤に作られた溝に沿って移動する案内部分を持つことで前記第二の部分が前記第一の部分の延長方向へと移動することを特徴としたアナログ時計。
【実施例】
【０００７】  図１は従来から角型のアナログ時計を示すもので、１は文字盤、２は短針、３は長針を示す。
図１からも明らかな様に時刻を表示する記号は円周上に配置されており、長針および短針もその端の軌跡が円となるために時刻の視認性等は何ら問題が生じないが、時計外形が四角形であるにも係わらず文字盤の記号が円周上に配置されているためにデザイン上の面白みに欠ける。【０００８】  図２は従来からの角型のアナログ時計を示す他の例で、１は文字盤、２は短針、３は長針を示す。
図２は時刻を表示する記号を角型の外周に沿って配置しているため、長針が５分を通過する時には長針の端と５分を示すマークとの距離が大きくなり視認性が悪くなることが明らかである。
この様なデザインの時計では長針が０分、１５分、３０分、４５分以外を示す時には常に視認性が悪くなることを覚悟しなければならない。【０００９】図３（イ）、（ロ）、（ハ）は本考案を長方形の外形をしたアナログ時計に適用した例を示す。
図３（イ）は３時００分を、図３（ロ）は３時５分を、図３（ハ）は３時１５分をそれぞれ長針および短針が指示している状態を表わしている。
１は文字盤、２は短針、３１は長針の軸に固定されている第一の部分、３２は第一の部分３１の延長方向へと伸縮する第二の部分、４は文字盤上に作られた溝をそれぞれ示している。【００１０】図４は本考案の横から見た原理図である。
短針２は最上部に位置して自由に文字盤１を移動してその端の軌跡は従来のアナログ時計と同じ円を描く。長針は第一の部分３１とそれの延長方向に移動する様に取り付けられた第二の部分３２で構成され、第二の部分３２には案内部分５が溝４にはまって溝４に沿って移動する様に構成されている。【００１１】図５は長針を構成する第一の部分３１と第二の部分３２の組合せを表わした図で、第二の部分３２は第一の部分３１に差し込まれた構造で自由にスライドする様に構成されている。また案内部分５は第二の部分３２に固定されており、この部分が溝にはまり伸縮の案内をする。
この結果、長針を構成する第二の部分は溝４に直角方向に伸縮することとなる。【００１２】図３（イ）は３時００分を指しており、この時の長針は第二の部分３２が文字盤上の溝４と図５に示した案内部分５の働きによりやや伸びた状態となる。時間が経過して図３（ロ）の様に３時５分になると、長針は案内部分５と文字盤の溝４の働きで最も伸びた状態となる。更に時間が経過して図３（ハ）の様に３時１５分となると長針は同様に最も短い状態となる。
この様に時間の経過とともに長針が盤面を移動すると、長針を構成する第二の部分３２と文字盤に作られた溝４の作用によりその長さを適当に伸縮させることとなる。【００１３】図６は楕円の外形をしたアナログ時計に本考案を適用した例で、動作原理や長針構成は図４や図５で示したものと同じである。
短針２と長針第一の部分３１と第二の部分３２で９時００分を指していて、この時には溝４と第二の部分３２に固定されている案内部分の作用で長針は最も短い状態となっている。１５分経過して９時１５分になると第一の部分３１’と第二の部分３２’の位置となり、この時長針は最も長い状態となる。【００１４】図６は並行四辺形の外形をしたアナログ時計に本考案を適用した例で、動作原理や長針の構成は図４や図５で示したものと同じである。
短針２と長針第一の部分３１と第二の部分３２で９時００分を指していて、この時には溝４と第二の部分３２に固定されている案内部分の作用で長針は最も短い状態となっている。１０分経過して９時１０分になると長針は第一の部分３１’と第二の部分３２’の位置となり、さらに経過して９時１５分になると長針は第一の部分３１”と第二の部分３２”の位置となる。【００１５】以上述べた様に本考案によれば、様々な外形のアナログ時計に対して適用可能であることや針の伸縮の制御も文字盤の溝を任意の形状にしておくことでその針の端の軌跡も任意に設定出きること、等が明らかである。
またこれまで本考案を長針について適用した例について述べてきたが、秒針にも適用できることはこれまでの説明からも明らかである。
【産業上の利用可能性】
【００１６】本考案は短針や長針や秒針を持つアナログ時計の外形や文字配列に大きな自由度を与えるものである。
【図面の簡単な説明】
【００１７】
【図１】従来からある角型アナログ時計の例
【図２】従来からある角型アナログ時計の他の例
【図３】本考案の実施例
【図４】本考案の横から見た動作原理図
【図５】本考案の構成図
【図６】本考案の楕円形実施例
【図７】本考案の並行四辺形実施例
【符号の説明】
【００１８】１  アナログ時計の文字盤
２  短針
３  長針
３１  長針の第一の部分
３２  長針の第ニの部分
４  溝
５  案内部分
【図１】
0003123498.tif 000003
【図２】
0003123498.tif 000004
【図３】
0003123498.tif 000005
【図４】
0003123498.tif 000006
【図５】
0003123498.tif 000007
【図６】
0003123498.tif 000008
【図７】
0003123498.tif 000009